(57)【特許請求の範囲】
【請求項１】
アレイアンテナを備えた移動通信システムに適用される信号処理方法において、
２つ以上のアンテナを介して信号を受信する工程と、
特定のコードを用いて前記受信された信号を逆拡散する工程と、
前記逆拡散される前の信号（ｘ）、および前記逆拡散された信号（ｙ）に対して、それぞれの自己相関行列（Ｒｘｘ）および（Ｒｙｙ）を算出する工程と、
前記自己相関行列のいずれか一方を、対角成分を除いた残りの成分が０である第１行列と、前記対角成分が０である第２行列とに分割する工程と、
前記第１行列、前記第２行列、および前記分割されていない自己相関行列を、一般的な固有ベクトルの問題を解くために用いて、特定のスナップショットに対して、前記各アンテナのためのウェートベクトルを算出する工程と、
を包含することを特徴とする信号処理方法。
【請求項２】
前記分割される行列は、逆拡散される前の信号に相当する自己相関行列（Ｒｘｘ）であることを特徴とする請求項１記載の信号処理方法。
【請求項３】
前記ウェートベクトルは、
【数２】
0003933423.tif 000011
（但し、ｗは、ウェートベクトル、ｋは、特定スナップショットに相応するウェートベクトルを求めるための時間インデックス、λはＲｙｙ・ｗ＝λ・Ｒｘｘ・ｗを満たす最大固有値、ＲｘｘＤは前記第１行列、Ｒｘｘ０は前記第２行列）
により算出されることを特徴とする請求項１記載の信号処理方法。
【請求項４】
前記固有値λは、
【数３】
0003933423.tif 000012
により算出されることを特徴とする請求項３記載の信号処理方法。
【請求項５】
前記ウェートベクトルｗおよび前記逆拡散された信号ｙを用いて出力信号を生成する工程をさらに包含することを特徴とする請求項４記載の信号処理方法。
【請求項６】
前記出力信号は、Ｚ＝ｗＨ・ｙを用いて生成されることを特徴とする請求項５記載の信号処理方法。
【請求項７】
前記分割される行列は、逆拡散された信号に相応する自己相関行列（Ｒｙｙ）であることを特徴とする請求項１記載の信号処理方法。
【請求項８】
前記ウェートベクトルは、
ｗ（ｋ＋１）＝λ・Ｒｘｘ・ｗ（ｋ）・（ＲｙｙＤ）−１−Ｒｙｙ０・ｗ（ｋ）・（ＲｙｙＤ）−１
（但し、ｗは、ウェートベクトル、ｋは、特定スナップショットに相応するウェートベクトルを求めるための時間インデックス、λはＲｙｙ・ｗ＝λ・Ｒｘｘ・ｗを満たす最大固有値、ＲｘｘＤは前記第１行列、Ｒｘｘ0は前記第２行列）
により算出されることを特徴とする請求項７記載の信号処理方法。
【請求項９】
前記ウェートベクトルｗおよび前記逆拡散された信号ｙを用いて出力信号を生成する工程をさらに包含する請求項８記載の信号処理方法。
【請求項１０】
前記出力信号は、Ｚ＝ｗＨ・ｙを用いて生成される請求項９記載の信号処理方法。
【発明の詳細な説明】
【０００１】
【発明の属する技術分野】
本発明は通信システムに係り、特にコード分割多重接続（ＣＭＤＡ）システムにおける適応アルゴリズムを用いた適応アレイアンテナシステムにおける信号処理方法及びこれのための装置に関する。
【０００２】
【従来の技術】
一般に、無線通信を行うとき、受信する信号には所望の信号（以下、”願信号”）と干渉信号とが共に存在し、通常、一つの願信号に対して多数の干渉信号が存在する。かかる干渉信号による通信歪曲の程度は、願信号電力対全ての干渉信号電力との和によって決定されるので、願信号のレベルが干渉信号各々のレベルより著しく高い場合にも、干渉信号の数が多いとその全体電力が大きくなり、通信歪曲が発生する。
【０００３】
図１は従来技術によるアレイアンテナシステムのビーム形成方法を示す図面である。図１を参考すると、ＣＤＭＡ無線連結方式（ＣＭＤＡ  ｔｙｐｅ  ｒａｄｉｏ  ｌｉｎｋ）を使用する一般的なアレイアンテナシステムでは、アレイアンテナに受信された超高周波の信号を基底帯域信号に変換する周波数下向変換器１０１と、前記基底帯域信号をデジタル信号に変換するアナログデジタル変換器１０２と、前記デジタル信号を逆拡散させる第１乗算器１０３と、積分器１０４と、所望の信号の利得を高めるためにウェートベクタを掛け合わせる第２乗算器１０５と、前記所望の信号の空間処理のためのビーム形成器１０６と、前記ウェートベクタが掛け合わせられた信号を合成して出力するアレイ出力器１０７とから構成されている。
【０００４】
この種の構成によって従来技術に係るアレイアンテナのビーム形成方法は次の通りである。
【０００５】
前記周波数下向け変換器１０１は各アレイアンテナ素子を介して受信した信号を基底帯域のアナログ信号に変換させる。そして、このアナログ信号はアナログデジタル変換器１０２によって各々のデジタル信号に変換する。
【０００６】
前記第１乗算器１０３及び積分器１０４はこのデジタル信号を逆拡散して所望の信号のみを抽出する。前記第２乗算器１０５はこの抽出した信号にウェートベクタを適用する。このウェートベクターが適用された信号はアレイ出力器１０７により合成され、復調器（図示せず）へ入力される。
【０００７】
このとき、前記ウェートベクタはビーム形成器１０６により提供されるが、ビーム形成器１０６は、前記アナログデジタル変換器１０２の出力信号と前記積分器１０４の出力信号とからウェートベクタを更新する。
【０００８】
前記アナログデジタル変換器１０２の出力信号は、ＣＭＤＡシステムで既に知っているコードに逆拡散する前の高速の信号であり、前記積分器１０４の出力信号は、既に知っているコードに逆拡散した後の低速の信号である。
【０００９】
この種の信号を用いて、従来技術では逆拡散前の信号をサンプリングした信号の自己相関行列と、逆拡散後の信号をサンプリングした信号の自己相関行列とを計算し、その各々の行列を用いて、空間処理のためのウェートベクタを計算する。
【００１０】
しかし、かかる従来技術における適応アレイアンテナのための適応アルゴリズムは、一般的な固有ベクトルの問題を一つの行列のみが存在する固有ベクトルの問題に変えなければならなかった。この過程で“ポジティブデフィニート（ｐｏｓｉｔｉｖｅ  ｄｅｆｉｎｉｔｅ）”行列という特性を用いて、一般的な固有ベクトルの問題を構成する二つの行列のうち、一つの行列を再び二つに行列分離しなければならなかったし、分離した行列に対して逆行列を計算しなければならない不具合があった。また、その計算量が多すぎて、実時間適応アレイアルゴリズムとしては適当ではない問題点があった。
【００１１】
【発明が解決しようとする課題】
従って、本発明は上記のような従来技術の問題点を解決するために、適応アレイアンテナで実時間に適応アルゴリズムを適用するに適するようにした適応アレイアンテナシステムにおける信号処理方法を提供するためのものである。
【００１２】
また、本発明は適応アレイアンテナシステムでの通話品質を向上させるに適したような信号処理方法及びこれのための装置を提供するためのものである。
【００１３】
また、本発明は簡単であり且つ費用を節減できるような適応アレイアンテナシステムにおける信号処理方法及びこれのための装置を提供するためのものである。
【００１４】
【課題を解決するための手段】
本発明の信号処理方法は、複数のアンテナが備えられた通信システムにおいて、前記複数のアンテナに受信された信号から特定の信号を主に含む受信信号と、この特定信号以外の信号を主に含む受信信号を抽出する工程と、前記抽出した受信信号それぞれの自己相関行列を演算する工程と、前記演算した自己相関行列のうち、少なくともある一つの行列を対角成分と非対角成分とに分け、この各々の成分を有する行列に分離する工程と、前記分離した自己相関行列を用いて、前記特定の信号に関連した加重値を算出する工程と、前記特定信号に関連した送信又は受信信号に前記加重値を適用して、この適用した信号を出力する工程とを包含することを特徴とし、そのことにより上記目的が達成される。
【００１５】
前記通信システムはＣＭＤＡ方式の無線通信システムであり、前記特定信号を主に含む受信信号は、前記受信した信号を特定のコードで逆拡散した後の受信信号であることをさらなる特徴としてもよい。
【００１６】
前記特定信号以外の信号を主に含む受信信号は、前記受信した信号を特定コードで逆拡散する前の受信信号であることをさらなる特徴としてもよい。
【００１７】
前記受信信号のベクタは、このベクタ元素の数が前記アンテナの数と同じであるか少ないベクタであることをさらなる特徴としてもよい。
【００１８】
前記自己相関行列は、行又は列の数が前記受信信号ベクタの元素の数と同一であることをさらなる特徴としてもよい。
【００１９】
前記算出した加重値は、元素の数が前記自己相関行列の行又は列の数と同じベクタであることをさらなる特徴としてもよい。
【００２０】
前記加重値の算出工程は、前記特定の信号を主に含む受信信号の自己相関行列と前記加重値ベクタとの掛け合わせが、前記特定信号以外の信号を主に含む受信信号の自己相関行列と前記加重値ベクタとの掛け合わせに比べて最大となる前記加重値ベクタを求めることをさらなる特徴としてもよい。
【００２１】
前記分離した行列は前記特定信号以外の信号を主に含む受信信号の自己相関行列であることをさらなる特徴としてもよい。
【００２２】
前記特定信号以外の信号を主に含む受信信号のベクタをｘ、前記特定の信号を主に含む受信信号のベクタをｙ、前記ｘの自己相関行列をＲｘｘ、前記ｙの自己相関行列をＲｙｙ、前記Ｒｘｘの対角成分の行列をＲｘｘD、前記Ｒｘｘの非対角成分の行列をＲｘｘO、前記ＲｘｘDの逆行列が（ＲｘｘD）-1、一般的な固有ベクトル問題のＲｙｙｗ＝λＲｘｘｗの最大の固有ベクトルをλとする時、前記加重値ｗは、
【００２３】
【数５】
0003933423.tif 000002
式により算出されることをさらなる特徴としてもよい。
【００２４】
前記特定信号以外の信号を主に含む受信信号のベクタをｘ、前記特定信号を主に含む受信信号のベクタをｙ、前記ｘの自己相関行列をＲｘｘ、前記ｙの自己相関行列をＲｙｙ、前記Ｒｘｘの対角成分の行列をＲｘｘD、前記Ｒｘｘの非対角成分の行列をＲｘｘO、前記ＲｘｘDの逆行列が（ＲｘｘD）-1、一般的な固有ベクトル問題のＲｙｙｗ＝λＲｘｘｗの最大の固有ベクトルをλとする時、前記加重値ｗは、スナップシャットインデクスｋと、その後のスナップシャットインデクス（ｋ＋１）とに対して
【００２５】
【数６】
0003933423.tif 000003
式により更新されることをさらなる特徴としてもよい。
【００２６】
前記一般的な固有ベクトル問題のＲｙｙｗ＝λＲｘｘｗの最大固有ベクトルのλはハーミション（Ｈｅｒｍｉｔｉａｎ：エルミート）演算子Ｈに対して、
【００２７】
【数７】
0003933423.tif 000004
式により算出されることをさらなる特徴としてもよい。
【００２８】
前記分離される行列は前記特定の信号を主に含む受信信号の自己相関行列であることをさらなる特徴としてもよい。
【００２９】
前記特定信号以外の信号を主に含む受信信号のベクタをｘ、前記特定の信号を主に含む受信信号のベクタをｙ、前記ｘの自己相関行列をＲｘｘ、前記ｙの自己相関行列をＲｙｙ、前記Ｒｙｙの対角成分の行列をＲｙｙD、前記Ｒｙｙの非対角成分の行列をＲｙｙO、前記ＲｙｙDの逆行列が（ＲｙｙD）-1、一般的な固有ベクトル問題のＲｙｙｗ＝λＲｘｘｗの最大の固有ベクトルをλとする時、前記ウェートベクタｗは、ｗ（λＲｘｘｗ−ＲｙｙOｗ）（ＲｙｙD）-1式により算出されることをさらなる特徴としてもよい。
【００３０】
前記特定信号以外の信号を主に含む受信信号のベクタをｘ、前記特定の信号を主に含む受信信号のベクタをｙ、前記ｘの自己相関行列をＲｘｘ、前記ｙの自己相関行列をＲｙｙ、前記Ｒｙｙの対角成分の行列をＲｙｙD、前記Ｒｙｙの非対角成分の行列をＲｙｙO、前記ＲｙｙDの逆行列が（ＲｙｙD）-1、一般的な固有ベクトル問題のＲｙｙｗ＝λＲｘｘｗの最大の固有ベクトルをλとする時、前記加重値ｗは、スナップシャットインデクスｋと、その後のスナップシャットインデクス（ｋ＋１）とに対して、
ｗ（ｋ＋１）＝λＲｘｘｗ（ｋ）（ＲｙｙD）-1−ＲｙｙOｗ（ｋ）（ＲｙｙD）-1
式により算出されることをさらなる特徴としてもよい。
【００３１】
前記一般的な固有ベクトル問題のＲｙｙｗ＝λＲｘｘｗの最大固有ベクトルのλはハーミション演算子Ｈに対して、
【００３２】
【数８】
0003933423.tif 000005
式により算出されることをさらなる特徴としてもよい。
【００３３】
以上のような目的を達成するための本発明の第１特徴によれば、複数のアンテナが備えられた通信システムにおいて、前記複数のアンテナに受信された信号から特定の信号を主に含む受信信号と、この特定信号以外の信号を主に含む受信信号を抽出する工程と、前記抽出した受信信号それぞれの自己相関行列を演算する工程と、
前記演算した自己相関行列のうち、少なくともある一つの行列を対角成分と非対角成分とに分け、この各々の成分を有する行列に分離する工程と、前記分離した自己相関行列を用いて、前記特定の信号に関連した加重値を算出する工程と、前記特定信号に関連した送信又は受信信号に前記加重値を適用して、この適用した信号を出力する工程とを備えて成されたことを特徴とする。
【００３４】
以上のような目的を達成するための本発明の第２特徴によれば、好ましくは、前記通信システムはＣＭＤＡ方式の無線通信システムであり、前記特定信号を主に含む受信信号は、前記受信した信号を特定のコードで逆拡散した後の受信信号である。ここで、前記特定信号以外の信号を主に含む受信信号は、前記受信した信号を特定コードで逆拡散する前の受信信号である。
【００３５】
【発明の実施の形態】
以下、本発明の好ましい一実施形態による構成及び作用を添付の図面を参照して説明する。
【００３６】
（第１実施形態）
図２は本発明の一例による適応アルゴリズム流れ図である。
【００３７】
既に説明したように、従来の適応アレイアンテナを用いたＣＤＭＡシステムで、ビーム形成器１０６は、ウェートベクタ（ｗｅｉｇｈｔ  ｖｅｃｔｏｒ）を更新するために、逆拡散前の高速信号と、既に知っているチャネルコードを用いて逆拡散した後の低速の信号とを共に用いる。
【００３８】
また、前記逆拡散前の信号をサンプリングした信号の自己相関行列と、逆拡散後の信号をサンプリングした信号の自己相関行列とを計算し、この各々の行列を用いて、空間処理のためのウェートベクタを計算する。
【００３９】
逆拡散する前の、各アンテナから受信した信号のベクタをｘとし、各アンテナで受信した信号を既に知っているコードに逆拡散した後の信号のベクタをｙと定義する（Ｓ２０）。このとき、ベクタｘの自己相関行列をＲｘｘとし、ベクタｙの自己相関行列をＲｙｙとすると、各アンテナ素子に掛けるべきである複素利得から構成されたウェートベクタｗを求める式は、次の式１のように、一般的な固有ベクトルの問題となる（Ｓ２１）。
【００４０】
Ｒｙｙｗ＝λＲｘｘｗ          （式１）
そして、前記自己相関行列ＲｘｘとＲｙｙは、各々次の式２と式３によって推定される。
【００４１】
Ｒｘｘ（ｋ）＝ｆＲｘｘ（ｋ−１）＋ｘ（ｋ）ｘH（ｋ）    （式２）
Ｒｙｙ（ｋ）＝ｆＲｙｙ（ｋ−１）＋ｙ（ｋ）ｙH（ｋ）    （式３）
前記式２と式３で、ｆは０から１の値を有する忘却ファクター（ｆｏｒｇｅｔｔｉｎｇ  ｆａｃｔｏｒ）であり、Ｈはハーミション演算子である。
【００４２】
前記式１で従来はウェートベクタを求めるために、行列分離及び逆行列の計算を行ったが、本発明では前記自己相関行列Ｒｘｘを各々Ｒｘｘの対角部分と非対角部分とを有する各々の対角行列と非対角行列とに分けて、次の式４のように表す（Ｓ２２）。
【００４３】
Ｒｙｙｗ＝λ（ＲｘｘD＋ＲｘｘO）ｗ    （式４）
このとき、ＲｘｘDはＲｘｘの対角行列、即ち、Ｒｘｘの対角部分のみを取り、残り部分は全て０である行列であり、ＲｘｘOはＲｘｘの対角部分を除いた部分を取り、対角部分は全て０である非対角行列を各々表す。
【００４４】
また、前記受信信号のベクタｘは、このベクタ元素（ｖｅｃｔｏｒ  ｅｌｅｍｅｎｔ）の数が前記アンテナ素子（又はアレイ）の数と同じか少ないベクタである。前記自己相関行列（Ｒｘｘ又はＲｙｙ）は、行又は列の数が前記受信信号ベクタｘの元素の数と同一である。
【００４５】
前記式４は次の式５に書き直すことができる。
【００４６】
Ｒｙｙｗ−λＲｘｘOｗ＝λＲｘｘDｗ    （式５）
前記式５の両辺に前記ＲｘｘDの逆行列を掛け合わせて次のように整理する。本発明でもＲｘｘDの逆行列を求めるべきであり、ＲｘｘDは対角行列であるので、次のように簡単に得られる（Ｓ２３）。
【００４７】
例えば、ＲｘｘDを式６のように書き直せると仮定しよう。対角行列の性質を用いると、式６の対角行列の逆行列を式７のように簡単に求めることができる。
【００４８】
【数９】
0003933423.tif 000006
【００４９】
【数１０】
0003933423.tif 000007
前記式７によって前記式５は次のように整理することができる。
【００５０】
（Ｒｙｙ−λＲｘｘO）（ＲｘｘD）-1ｗ＝λｗ      （式８）
前記式８で最大の固有ベクトルλは次のように求められる（Ｓ２４）。
【００５１】
【数１１】
0003933423.tif 000008
従って、ウェートベクタｗは次の式１０のように表すことができる。
【００５２】
【数１２】
0003933423.tif 000009
前記式１０のように、算出するウェートベクタの元素の数は、前記自己相関行列（Ｒｘｘ又はＲｙｙ）の行又は列の数と同じである。
【００５３】
移動通信状況で適応アレイアンテナに使用するウェートベクタｗは更新し続けるべきであり、移動体を追跡できなければならないので、今までのウェートベクタｗを求める方法は、前記式１０によって次の式１１のように要約することができる（Ｓ２５）。
【００５４】
【数１３】
0003933423.tif 000010
このとき、ｋは適応アレイアンテナに入射する信号を観測して、新たなウェートベクタを計算する時間を表すインデクスであって、本発明の信号処理によれば、毎スナップシャットごとに新たに入射する信号値に適当なウェートベクタを算出することにより、毎スナップシャットごとに入射した信号値に適応するアレイアンテナを提供できる。
【００５５】
即ち、初期の仮ウェートベクターを設定し、前記式１１のように更新し続けることにより、収斂（ｃｏｎｖｅｒｇｅ）したウェートベクタを求めることができ、各信号源の移動を追跡して、適応アレイアンテナのビームパターンを提供することができる。
【００５６】
この求められたウェートベクタをベクタｙと複素内積を取り、アレイアンテナの出力ｚを図２の式１２のように求めることができる（Ｓ２６）。
【００５７】
ｚ＝ｗHｙ          （式１２）
また、本発明は、図３に示すように、各アンテナを通じて受信した信号を既に知っているコードに逆拡散した後の信号ベクタｙの自己相関行列Ｒｙｙを、対角行列と非対角行列とに分けて、ウェートベクタを計算するまた他の方法を提供する。
【００５８】
（第２実施形態）
図３は本発明の他の例による適応アルゴリズム流れ図である。
【００５９】
図３を参照すると、まず、逆拡散する前の、各アンテナから受信した信号のベクタをｘとし、各アンテナで受信した信号を既に知っているコードに逆拡散した後の信号のベクタをｙと定義する（Ｓ３０）。このとき、ベクタｘの自己相関行列をＲｘｘとし、ベクタｙの自己相関行列をＲｙｙとすると、各アンテナ素子に掛けるべきである複素利得から構成されたウェートベクタｗを求める式は、式１のように、一般的な固有ベクトルの問題となる（Ｓ３１）。
【００６０】
この時も、前記各々の自己相関行列ＲｘｘとＲｙｙは、前記図２における式２と式３によって推定される。
【００６１】
前記式１で従来はウェートベクタを求めるために、行列分離及び逆行列の計算を行ったが、本発明のまた他の例では、前記自己相関行列Ｒｙｙを各々Ｒｙｙの対角部分と非対角部分とからなる各々の対角行列と非対角行列とに分けて、次の式１３のように表す（Ｓ３２）。
【００６２】
（ＲｙｙD＋ＲｙｙO）ｗ＝λＲｘｘｗ    （式１３）
このとき、ＲｙｙDはＲｙｙの対角行列、即ち、Ｒｙｙの対角部分のみを取り、残り部分は全て０である行列であり、ＲｙｙOはＲｙｙの対角部分を除いた部分を取り、対角部分は全て０である非対角行列を各々表す。
【００６３】
また、前記受信信号のベクタｘは、このベクタ元素の数が前記アンテナ素子（又はアレイ）の数と同じか少ないベクタである。前記自己相関行列（Ｒｘｘ又はＲｙｙ）は、行又は列の数が前記受信信号ベクタｘの元素の数と同一である。
【００６４】
前記式１３は次の式１４に書き直すことができる。
【００６５】
ＲｙｙDｗ＝λＲｘｘｗ−λＲｙｙOｗ    （式１４）
前記式１４の両辺に前記ＲｙｙDの逆行列を掛け合わせて次のように整理すると、ウェートベクタｗは式１５のように表す（Ｓ３３）。
【００６６】
ｗ＝（λＲｘｘｗ−ＲｙｙOｗ）（ＲｙｙD）-1    （式１５）
前記式１５で最大固有ベクトルλは、図２と同様に、前記式９を用いて求められる。また、前記式１５に示すように、算出するウェートベクターの元素の数は、前記自己相関行列（Ｒｘｘ又はＲｙｙ）の行又は列の数と同じである。
【００６７】
移動通信状況で適応アレイアンテナに使用するウェートベクターｗは更新し続けるべきであり、移動体を追跡できなければならないので、今までのウェートベクターｗを求める方法は、前記式１５と前記式９によって算出された最大固有ベクトルλから次の式１６のように表すことができる。
【００６８】
ｗ（ｋ＋１）＝λＲｘｘｗ（ｋ）（ＲｙｙD）-1−Ｒｙｙｏｗ（ｋ）（ＲｙｙD）-1    （式１６）
このとき、ｋは適応アレイアンテナに入射する信号を観測して、新たなウェートベクタを計算する時間を表すインデクスであって、本発明の信号処理によれば、毎スナップシャットごとに新たに入射する信号値に適当なウェートベクタを算出することにより、毎スナップシャットごとに入射した信号値に適応するアレイアンテナシステムを提供できる。
【００６９】
即ち、初期の仮ウェートベクターを設定し、前記式１６のように更新し続けることにより、収斂したウェートベクタを求めることができ、各信号源の移動を追跡して、適応アレイアンテナのビームパターンを提供することができる。
【００７０】
この求められたウェートベクタをベクタｙと複素内積を取り、アレイアンテナの出力ｚを図２の式１２のように求めることができる。
【００７１】
本発明によれば、適応アレイアンテナで実時間に適応アルゴリズムを適用するに適し、且つ適応アレイアンテナシステムでの通話品質を向上させると共に、費用を節減できるような適応アレイアンテナシステムにおける信号処理方法及びこれのための装置が提供される。
【００７２】
本発明は、複数のアンテナが備えられた通信システムで、前記複数のアンテナに受信された信号から特定の信号を主に含む受信信号と、この特定信号以外の信号を主に含む受信信号を抽出する工程と、前記抽出した受信信号それぞれの自己相関行列を演算する工程と、前記演算した自己相関行列のうち、少なくともある一つの行列を対角成分と非対角成分とに分け、この各々の成分を有する行列に分離する工程と、前記分離した自己相関行列を用いて、前記特定の信号に関連した加重値を算出する工程と、前記特定信号に関連した送信又は受信信号に前記加重値を適用して、この適用した信号を出力する工程とを備えて成されたことを特徴とする。
【００７３】
尚、前記通信システムはＣＭＤＡ方式の無線通信システムであり、前記特定信号を主に含む受信信号は、前記受信した信号を特定のコードで逆拡散した後の受信信号である。ここで、前記特定信号以外の信号を主に含む受信信号は、前記受信した信号を特定コードで逆拡散する前の受信信号である。
【００７４】
【発明の効果】
以上で説明したように、本発明はＣＭＤＡシステムのための適応アレイアンテナを実現するに必ず必要なビーム形成のためのアルゴリズムを簡単に行うことにより、ビーム形成アルゴリズムの実行による計算量を減らせる効果がある。
【００７５】
また、移動通信環境で移動体を追跡しなければならないビーム形成器の長所を十分に活用するために、適応アレイアンテナのビームパターンを実時間で生成することができる。
【００７６】
さらに、前記実時間的に更新されるビームパターン（ウェートベクタ）を適用できるから、通信の品質が向上する。
【００７７】
また、ビーム形成器を実現するにおいても簡単なアルゴリズムを適用できるから、ＤＳＰの数を減らすことができ、費用節減の効果もある。
【図面の簡単な説明】
【図１】  従来技術によるアレイアンテナシステムを示す図面。
【図２】  本発明の一例による適応アルゴリズムの流れ図を示す図面。
【図３】  本発明の他の例による適応アルゴリズムの流れ図を示す図面。
【符号の説明】
１０１  周波数下向き変換器
１０２  アナログデジタル変換器
１０３  第１の乗算器
１０４  積分器
１０５  第２の乗算器
１０６  ビーム形成器
【図１】
0003933423.tif 000013
【図２】
0003933423.tif 000014
【図３】
0003933423.tif 000015